(57)【要約】【課題】  心地よく使用できしかも正確にメークアップできる化粧品のアプリケータを提供する。【解決手段】  本発明は、  ステム（４）と；  ステム（４）の第１端部（５）に配置されたアプリケータ部材（６）と；  ステム（４）の第１端部と反対側に位置した第２端部（８）に配置されたバンドル部材（９）と；を有する、化粧品のアプリケータにおいて、  ステムが、形状記憶特性をもつ可撓性部分を備え、また、ステムの下方半分が実質的に可撓性でないことを特徴としている。【選択図】    図１
2005052649.tif 000002
【特許請求の範囲】
【請求項１】
ステム（４）と；
ステム（４）の第１端部（５）に配置されたアプリケータ部材（６）と；
ステム（４）の第１端部と反対側に位置した第２端部（８）に配置されたバンドル部材（９）と；
を有する、化粧品のアプリケータにおいて、
ステム（４）が、形状記憶特性をもつ可撓性部分（１１）を備え、また、ステム（４）の下方半分が実質的に可撓性でないこと
を特徴とする化粧品のアプリケータ。
【請求項２】
ステム（４）が、第１端部（５）からのびるある長さの先端部分（１２）と、第２端部（８）からのびるある長さの基端部分（１３）とを備え、基端部分（１３）の長さが先端部分（１２）の長さより短く、先端部分（１２）及び基端部分（１３）が可撓性部分（１１）により互いに接続されていることを特徴とする請求項１記載の化粧品のアプリケータ。
【請求項３】
先端部分（１２）の長さが基端部分（１３）の長さより１．５倍長いことを特徴とする請求項２記載の化粧品のアプリケータ。
【請求項４】
先端部分（１２）の長さが基端部分（１３）の長さより１．７倍長いことを特徴とする請求項２記載の化粧品のアプリケータ。
【請求項５】
先端部分（１２）の長さが基端部分（１３）の長さより少なくとも２倍長いことを特徴とする請求項２記載の化粧品のアプリケータ。
【請求項６】
ステムの先端部分及び基端部分の各々が、塗布中実質的に直線状であることを特徴とする請求項２〜５のいずれか一項記載の化粧品のアプリケータ。
【請求項７】
ステムの先端部分及び基端部分が実質的に整列する初期状態に対して３０°以上の角度でステムの先端部分を反対に傾斜できるように可撓性部分が構成されていることを特徴とする請求項２〜６のいずれか一項記載の化粧品のアプリケータ。
【請求項８】
ステムの先端部分及び基端部分が実質的に整列する初期状態に対して塗布中４５°以上の角度でステムの先端部分を反対に傾斜できるように可撓性部分が構成されていることを特徴とする請求項２〜６のいずれか一項記載の化粧品のアプリケータ。
【請求項９】
ステムの先端部分及び基端部分が実質的に整列する初期状態に対して塗布中６０°の角度でステムの先端部分を反対に傾斜できるように可撓性部分が構成されていることを特徴とする請求項２〜６のいずれか一項記載の化粧品のアプリケータ。
【請求項１０】
可撓性部分（１１）の長さが、ステムの先端部分（１２）及び基端部分（１３）の少なくとも一方の長さより短いことを特徴とする請求項２〜９のいずれか一項記載のアプリケータ。
【請求項１１】
可撓性部分（１１）がステムの全長の１／３以下、より好ましくは１／４以下にわたってのびていることを特徴とする請求項１〜１０のいずれか一項記載の化粧品のアプリケータ。
【請求項１２】
ステムの可撓性部分（１１）の横断面の最大寸法が０．２ｍｍ〜１．５ｍｍの範囲にあることを特徴とする請求項１〜１１のいずれか一項記載の化粧品のアプリケータ。
【請求項１３】
ステムの可撓性部分（１１）の横断面の最大寸法が０．５ｍｍ〜０．８ｍｍの範囲にあることを特徴とする請求項１〜１２のいずれか一項記載の化粧品のアプリケータ。
【請求項１４】
ステムの可撓性部分（１１）が円形対称であることを特徴とする請求項１〜１３のいずれか一項記載の化粧品のアプリケータ。
【請求項１５】
ステムの可撓性部分（１１）が円形対称でないことを特徴とする請求項１〜１３のいずれか一項記載の化粧品のアプリケータ。
【請求項１６】
ステムの可撓性部分（１１）の横断面がほぼ細長い形状であることを特徴とする請求項１５記載の化粧品のアプリケータ。
【請求項１７】
ハンドル部材（９）が、アプリケータを予め決めた方向に保持できるように非円形対称形態であることを特徴とする請求項１〜１６のいずれか一項記載の化粧品のアプリケータ。
【請求項１８】
ハンドル部材が、ステムの可撓性部分の横断面の主要軸線にほぼ平行にのびる少なくとも一つの指受けゾーン（２６）を備えていることを特徴とする請求項１６又は１７記載の化粧品のアプリケータ。
【請求項１９】
指受けゾーンが平坦状又は凹状であることを特徴とする請求項１６又は１７記載の化粧品のアプリケータ。
【請求項２０】
ステムの可撓性部分（１１）が少なくとも一つの開口を備えていることを特徴とする請求項１〜１９のいずれか一項記載の化粧品のアプリケータ。
【請求項２１】
ステムの先端部分及び基端部分を相互接続する材料の二つの橋絡部（２８）の間に一つの開口が設けられることを特徴とする請求項１〜２０のいずれか一項記載の化粧品のアプリケータ。
【請求項２２】
ステム特にステムの先端部分の横断面が、以下の形状即ち円形、非円形、特に長方形、楕円形、長円形、多角形、特に方形、矩形、腎臓形、銃眼形、星形、及び一つ以上の溝を備えた形状の中から選択した形状をもつことを特徴とする請求項１〜２１のいずれか一項記載の化粧品アプリケータ。
【請求項２３】
ステムの可撓性部分並びにステムの先端部分及び基端部分の少なくとも一方が異なる材料で構成されていることを特徴とする請求項１〜２２のいずれか一項記載の化粧品のアプリケータ。
【請求項２４】
ステムの先端部分、基端部分及び可撓性部分の少なくとも一つが熱可塑性樹脂材料で構成されていることを特徴とする請求項１〜２３のいずれか一項記載の化粧品のアプリケータ。
【請求項２５】
材料が、ＰＥ、ＰＰ、ＰＯＭ、ＰＡ、ＰＥＴ、ＰＢＴで構成される群から選択した材料の一つであることを特徴とする請求項１〜２４のいずれか一項記載の化粧品のアプリケータ。
【請求項２６】
アプリケータ部材が以下の要素即ち剛毛の束、フエルト、フロック加工の被覆体、発泡体の少なくとも一つを有することを特徴とする請求項１〜２５のいずれか一項記載の化粧品のアプリケータ。
【請求項２７】
アプリケータ部材（６）が剛毛の束を有することを特徴とする請求項１〜２６のいずれか一項記載の化粧品のアプリケータ。
【請求項２８】
アプリケータ部材がフロック加工チップを有することを特徴とする請求項１〜２６のいずれか一項記載の化粧品のアプリケータ。
【請求項２９】
ステムがその第２端部に、第２端部をハンドル部材に固定する固定部材を備えていることを特徴とする請求項１〜２８のいずれか一項記載の化粧品のアプリケータ。
【請求項３０】
固定部材が、ハンドル部材に力嵌め及び（又は）スナップ嵌め固定具として挿入する端部片（１５、１６）を有することを特徴とする請求項２９記載の化粧品のアプリケータ。
【請求項３１】
端部片が、基部に鍔（１６）を備えた環状スカート（１５）から成ることを特徴とする請求項３０記載の化粧品のアプリケータ。
【請求項３２】
ハンドル部材が、それを容器に固定する固定手段を有することを特徴とする請求項１〜３１のいずれか一項記載の化粧品のアプリケータ。
【請求項３３】
上記固定手段がねじから成ることを特徴とする請求項１〜３１のいずれか一項記載の化粧品のアプリケータ。
【請求項３４】
可撓性部分がハンドル部材の内側に少なくとも部分的にのびていることを特徴とする請求項１〜３３のいずれか一項記載の化粧品のアプリケータ。
【請求項３５】
可撓性部分がハンドル部材の内側にほぼ全体のびていることを特徴とする請求項１〜３４のいずれか一項記載の化粧品のアプリケータ。
【請求項３６】
ステムを傾斜させた時にステムがハンドル部材の縁部に接触できるように可撓性部分が十分に撓むことを特徴とする請求項１〜３５のいずれか一項記載の化粧品のアプリケータ。
【請求項３７】
請求項１〜３６のいずれか一項記載のアプリケータ（３）と、塗布すべき物質を収容する容器（２）とを有することを特徴とする物質の包装及び塗布装置。
【請求項３８】
物質が爪に塗布するためのものであることを特徴とする請求項３７記載の物質の包装及び塗布装置。
【請求項３９】
物質がマニキュア又は爪用のケアー製品であることを特徴とする請求項３７又は３８記載の物質の包装及び塗布装置。
【請求項４０】
物質がアイライナー、アイシャドー、又は唇に塗布するア物質であることを特徴とする請求項３７記載の物質の包装及び塗布装置。
【請求項４１】
アプリケータ（３）のハンドル部材（９）が容器を閉じるキャップを構成していることを特徴とする請求項４０記載の物質の包装及び塗布装置。
【請求項４２】
互いに反対側に位置した第１端部及び第２端部を備えたステムと；
ステムの第１端部に配置されたアプリケータ部材と；
ステムの第２端部に配置されたバンドル部材と；
を有し、
ステムの第１端部から始まる半分が実質的に非可撓性であり、またステムの第２端部から始まる半分が形状記憶特性をもつ少なくとも一つの可撓性部分を備えていること
を特徴とするアプリケータ。
【請求項４３】
第１端部及び第１端部の反対側に位置した第２端部を備えたステムと；
ステムの第１端部に固定されたアプリケータ部材と；
容器を閉じるキャップとしても機能し、ステムの第２端部に固定されたバンドル部材と；
を有し、
ステムが、ステムの先端部分をハンドル部材に対して傾斜させるようにする形状記憶特性をもつ可撓性部分を備え、ステムを傾斜させた時にステムがハンドル部材の縁部に接触でき、可撓性部分がハンドル部材の内側のほとんどの部位に対し配置されていること
を特徴とするアプリケータ。
【発明の詳細な説明】
【技術分野】
【０００１】
本発明は、ケアー製品特にマニキュアのような物質を含む化粧品のアプリケータに関するものであり、そしてまた本発明は、そのようなアプリケータを含む包装及びアプリケータ装置に関する。
【背景技術】
【０００２】
種々のアプリケータは、アプリケータ部材、特に、人の肌特に皮膚又はケラチン質繊維に物質を塗布する目的でステムの端部に固定した剛毛の束を有している。
【０００３】
特許文献１及び特許文献２には、ステムがアプリケータ部材の可撓性と同じ可撓性をもち、ステムの全長の大部分にわたる部分の断面がステムの残りの部分の断面より小さいアプリケータが記載されている。
【０００４】
ステムの可撓性は、ある塗布状態のもとでは、メークアップを行なう正確さを低下させ得る。
【０００５】
特許文献３には、ステムがアプリケータ部材を担持しかつ収納中はフロック加工したワイパーのレベルに位置される収縮部分を備えていることが記載されている。収縮部分を備えていることは、ステムがワイパーのフロック加工部を平坦化するのを避ける働きをする。かかるステムは塗布中に変形するようには構成されていない。
【０００６】
特許文献４には、ステムの一端を圧縮可能なスリーブによってハンドル部材に固定したアプリケータが記載されている。このステムは、ハンドル部材に対するステムの方向が変化する時に全体として直線状のままである。
【特許文献１】フランス国特許出願ＦＲ−Ａ−２７２２３８０
【特許文献２】フランス国特許出願ＦＲ−Ａ−２７２２３８１
【特許文献３】フランス国特許出願ＦＲ−Ａ−２７０５８７６
【特許文献４】米国特許第２１７３９５９
【０００７】
心地よく使用できしかも正確にメークアップできるアプリケータが要望される。
【発明の開示】
【発明が解決しようとする課題】
【０００８】
本発明は、特にこの要望を満たすことにある。
【課題を解決するための手段】
【０００９】
この目的は、
ステムと；
ステムの第１端部に配置されたアプリケータ部材と；
ステムの第１端部と反対側に位置した第２端部に配置されたバンドル部材と；
を有し、
ステムが、形状記憶特性をもつ可撓性部分を備え、また、ステムの下方半分が実質的に可撓性でないことから成る化粧品のアプリケータによって達成される。
【００１０】
用語“下方半分”は、アプリケータ部材に接続したステムの第１端部とステムの中間部との間にのびるステムの部分であると理解される。ステムの中間部はステムに沿って、第１端部及び第２端部から等距離に位置している。
【００１１】
本発明は、アプリケータに可撓性を付与しながら塗布を比較的正確に行なうことができる。
【００１２】
塗布中に、本質的に形状記憶特性をもつ可撓性部分の変形のためにステムがある平面において曲り始める時、ステムは、可撓性部分の各側の二つのステム部分の成す角度が増大するので、上記平面から離れる方向へはほとんど変形しない。このことは、アプリケータに正確さを与えるのに役立つ。
【００１３】
また、可撓性部分を設けたことにより、ユーザーはアプリケータ部材と物質の塗布されることになる表面との成す角度を容易に変えることができ、この角度の変化はハンドルの部材の方向を大きく変えることなしに行なうことができる。
【００１４】
本発明の一つの特徴によれば、可撓性部分の中間部とステムの第１端部との間のステムの軸線に沿って測った距離は、可撓性部分の中間部とステムの第２端部との間の距離より長い。
【００１５】
用語“形状記憶特性をもつ”は広義に解釈されるべきであり、特に可撓性部分が変形後、例えば可撓性部分の使用材料及び形態により、初期状態と絶対的に同一でない状態に弾性的に戻る場合も包含している。
【００１６】
ステムは、第１端部からのびる先端部分と、第２端部からのびる基端部分とを備え、基端部分（１３）の長さが先端部分（１２）の長さより短く、先端部分及び基端部分は可撓性部分により互いに接続されている。
【００１７】
基端部分の長さは先端部分の長さより短くし得る。
【００１８】
可撓性部分は塗布中に変形でき、ステムの先端部分が基端部分に対して実質的に傾斜できるようにしている。
【００１９】
本発明のアプリケータは、爪に物質を正確に塗布することができ、しかも可撓性部分を設けたことにより柔かい。
【００２０】
可撓性部分がステムの第１端部より第２端部に近いことにより、物質を収容している容器からアプリケータを引き出す際に、ステムに沿ってアプリケータ部材に向う物質の流れが可撓性部分によって妨げられないように十分な長さに先端部分を構成することができる。
【００２１】
またこのように可撓性部分を位置決めすることにより、ステムの先端部分は、例えばステムの長手方向軸線に平行に一つ以上の溝を形成し、これらの溝を例えばアプリケータ部材の中間部位で開放し得るように構成することによって、アプリケータ部材の予め決めた領域に向って物質の流れを通すように構成することができる。
【００２２】
さらに、本発明によって塗布中に得られる柔かさはまた、すじの形成される危険を少なくさせ、また物質の成分の平衡を妨げる危険を少なくさせ、それにより迅速な乾燥が得られ、そしてユーザーにとっては適当には第１の層が乾燥し終わるのを待たずに物質の第２の層を塗布できるようになる。
【００２３】
先端部分及び基端部分を構成する材料並びにそれらの形状は、先端部分及び基端部分が塗布中に実質的に変形しないように選択され得る。
【００２４】
ステムの先端部分及び基端部分の各々は、塗布中実質的に直線状であり得る。
【００２５】
先端部分の長さは基端部分の長さより１．５、好ましくは１．７倍、さらには少なくとも２倍長くできる。
【００２６】
可撓性部分は、ステムの先端部分及び基端部分が実質的に整列する初期状態に対して塗布中にはステムの先端部分が３０°以上、好ましくは４５°以上、更には６０°の角度で反対に傾斜できるように構成され得る。
【００２７】
可撓性部分の長さは、ステムの先端部分及び基端部分の少なくとも一方の長さより短くできる。特に、可撓性部分は、ステムの全長の１／３以下、より好ましくは１／４以下にわたってのびることができる。
【００２８】
ステムの可撓性部分の横断面の最大寸法は、０．２ｍｍ〜１．５ｍｍの範囲、特に０．５ｍｍ〜０．８ｍｍの範囲にあり得る。
【００２９】
ステムの可撓性部分はが円形対称であり得る。特定の実施形態においては、ステムの可撓性部分は砂時計型である。
【００３０】
代りに、ステムの可撓性部分は円形対称である必要はない。かかる形状により、物質を塗布している間に、先端部分がそれの初期位置から離れて傾斜する方向に関連して変化するステム剛性を得ることができる。特に、ステムの可撓性部分の横断面は通常細長い形状であってもよい。
【００３１】
ハンドル部材は、アプリケータを予め決めた方向に保持できるように非円形対称形態のものでもよい。ハンドル部材は、ステムの可撓性部分の横断面の最大寸法の軸線にほぼ平行にのびる少なくとも一つの指受けゾーン、特に平坦状又は凹状部を備えてもよい。
【００３２】
ステムの可撓性部分は少なくとも一つの開口、及び特に、ステムの先端部分及び基端部分を相互接続する材料の二つの橋絡部の間に設けた一つの開口を備えてもよい。
【００３３】
ステム特にステムの先端部分の横断面は、以下の形状即ち円形、非円形、特に長方形、楕円形、長円形、多角形、特に方形、矩形、腎臓形、銃眼形、星形、及び一つ以上の溝を備えた形状の中から選択した形状をもち得る。
【００３４】
ステムの可撓性部分はステムの残りの部分と同じ材料で構成され得る。
【００３５】
ステムの可撓性部分、並びにステムの先端部分及び基端部分の少なくとも一つは異なる材料で構成され得る。ステムの基端部分、先端部分及び可撓性部分の少なくとも一つは、熱可塑性樹脂材料、特に、ポリエチレン（ＰＥ）、ポリプロピレン（ＰＰ）、ポリアセタル（ＰＯＭ）、ポリアミン（ＰＡ）、ポリエチレンテレフタレート（ＰＥＴ）、及びポリブタリンテレフタレート（ＰＢＴ）で構成される群から選択した材料の一つで構成され得る。
【００３６】
アプリケータ部材は以下の要素即ち剛毛の束、フエルト、フロック加工の被覆体、発泡体の少なくとも一つを有し得る。
【００３７】
アプリケータ部材が剛毛の束から成る場合には、該束の少なくとも二つの剛毛は各々、少なくとも一つの起伏即ちにうねりをもつ少なくとも二つの異なる周期的パターンを備えることができる。用語“周期的パターン”は剛毛の全長に沿ってほぼ周期的に再現される剛毛の部分を表している。
【００３８】
剛毛の束は長さの異なる少なくとも二つの剛毛、又は実際には直径の異なる少なくとも二つの剛毛を備え得る。
【００３９】
剛毛は、プラスチック材料、例えば熱可塑性樹脂材料、特に熱可塑性エラストマーで構成され得る。少なくとも一つの剛毛は天然繊維から成り得る。
【００４０】
剛毛は、中実又は中空、円形、その他の横断面形状を持ち得、横断面は剛毛に沿って一定であってもなくてもよく、例えば直径の大きな部分と直径の小さな部分とを交互に通ることができる。剛毛はフロック加工の被覆を任意に備えることができる。
【００４１】
剛毛は、また、それらの全長にわたって又はそれらの全長のほんの一部にわたって充填剤、例えば磁気コンパウンド、吸湿性コンパウンド、剛毛の表面を粗くするコンパウンド、又は滑りを改善するコンパウンドから成る充填剤を備えることができる。充填剤は、周期的なパターンを形成するように分配され得る。
【００４２】
剛毛の束は、ステムの第１端部に形成したハウジング内に保持され得、特に剛毛端上記ハウジングに接着剤、ステープル留め、オーバーモールディングによって固定され得る。ハウジングの横断面は、長軸線に沿ってのびた長方形であり得る。
【００４３】
ハウジングは、それの端壁に向ってテーパー状の横断面をもち得、設けられるテーパーの度合いは剛毛に望まれる発散に依存している。ハウジングの端壁は、剛毛を固定し、ハウジングの開口に向かって拡がったハウジングの部分内に開放したセットバックを備え得、拡がったハウジングの部分により、束に拡大形状を付与するために剛毛は相互に離れる方向に拡がることができる。
【００４４】
特に、ハウジングは、ハウジングの近くで上記長軸線に沿ったステムのサイズより大きい、上記長軸線に平行に測った距離にわたって剛毛がハウジングの外部へのびるように構成され得る。
【００４５】
アプリケータ部材はまたフロック加工チップを有し得る。
【００４６】
ステム及びアプリケータ部材は、特に射出成形又はデュアルインジェクション、或いは実際にオーバーモールディングによって単一部片として構成され得る。
【００４７】
ステムはその第２端部に、ハンドル部材に固定する固定部材、例えばハンドル部材に力嵌め又はスナップ嵌め固定具として挿入するようにされた端部片を備え得る。端部片は、基部に鍔を備えた環状スカートから成り得る。
【００４８】
可撓性部分はハンドル部材の内側に少なくとも部分的にのびることができ、そして特に可撓性部分はハンドル部材の内側にほぼ全体のびることができる。
【００４９】
可撓性部分は、ステムを傾斜させた時にステムがハンドル部材の縁部に接触できるように十分に可撓性であり得る。ハンドル部材は、それを容器に固定する固定手段、特にねじを備えることができる。
【００５０】
本発明は又、上記のアプリケータとは別個に又は上記のアプリケータと組合さって、
互いに反対側に位置した第１端部及び第２端部を備えたステムと；
ステムの第１端部に配置されたアプリケータ部材と；
ステムの第２端部に配置されたバンドル部材と；
を有し、
ステムの第１端部から始まる半分が実質的に非可撓性であり、またステムの第２端部から始まる半分が形状記憶特性をもつ少なくとも一つの可撓性部分を備えていること
から成る化粧品のアプリケータを提供する。
【００５１】
本発明の別の特徴によれば、本発明は、
容器を閉じるキャップとしても機能するバンドル部材と；
ハンドル部材に第１端部を固定したステムと；
ステムの第１端部の反対側に位置した第２端部に固定されたアプリケータ部材と；
を有し、
ステムが、ステムの先端部分をハンドル部材に対して傾斜させるようにする形状記憶特性をもつ可撓性部分を備え、ステムを傾斜させた時にステムがハンドル部材の縁部に接触でき、可撓性部分がハンドル部材の内側のほとんどの部位及び好ましくはハンドル部材の内側の全体に対し配置されていること
から成る化粧品のアプリケータを提供する。
【００５２】
本発明はまた、上記のアプリケータ及び塗布すべき物質を収容する容器を有する物質の包装及び塗布装置を提供する。
【００５３】
物質は爪に塗布するための物質、特にマニュキア又はケアー製品であり得る。或いは物質はアイライナーやアイシャドー、又は唇に塗布するア物質であり得るが、ここに掲げたものは本発明を限定するものではない。
【００５４】
アプリケータのハンドル部材は、容器を閉じるキャップを構成し得る。
【００５５】
本発明は、添付図面を参照して、本発明を限定しない実施の形態についての以下の詳細な説明から一層良く理解される。
【発明を実施するための最良の形態】
【００５６】
図１には包装及び塗布装置１を示し、この装置１は、塗布物質Ｐ例えばマニキュアを収容する容器２及びアプリケータ３を有し、アプリケータ３はステム４を備え、このステム４の第１端部５はアプリケータ部材６までのび、第２端部８はハンドル部材９に係合し、ハンドル部材９は、説明している例では、容器２の閉じキャップを構成している。
【００５７】
アプリケータ３のステム４自体は図２に示されている。
【００５８】
本発明の一つの特徴に従って、ステム４は形状記憶性をもつ可撓性部分１１を備え、可撓性部分１１は、第１端部５及び可撓性部分１１の間にのびる先端部分１２と、第２端部８及び可撓性部分１１の間にのびる基端部分１３を連結している。
【００５９】
可撓性部分１１の中間部Ｍと第１端部５との間の長さｄ１は上記中間部Ｍと第２端部８との間の長さｄ２より長い。
【００６０】
例として、比ｄ１／ｄ２は１より大きく、特に少なくとも１．２又は１．５であり或いは例えば２でもある。
【００６１】
ステム４は種々の仕方でハンドル部材９に固着することができる。
【００６２】
図１の例では、基端部分１３は、円筒状スカート１５から成る端部片を備え、円筒状スカート１５はそれの基部に鍔１６を備え、この鍔１６は特に図１に見ることができるように、ハンドル部材９の内側表面における相応したレリーフにスナップ嵌めする。鍔１６はまた、容器２を漏れなしで閉じる働きもしている。
【００６３】
基端部分１３はまた、この例では可撓性部分１１に向ってテーパー状になったテーパー部分１７を備えている。
【００６４】
当然、ステム４は、ハンドル部材９に他の仕方で固定でき、特に、ステム４をハンドル部材９に一体に構成してもよく、或いは接着剤、熱シール、強制嵌め、或いはハンドル部材及び（又は）ステムに固定したファスナー要素によってステム４をハンドル部材９に固定してもよい。
【００６５】
ハンドル部材９の内側にねじ１８を設けて、容器２のねじ付き首部にねじ係合できるようにしてもよい。
【００６６】
記載している例では、アプリケータ部材６は、先端部分１２のハウジング１９における一端に受けられた剛毛の束で構成されている。剛毛の束は、特に、ステープル又は他の適当な手段、特に接着剤や熱シールやステム内へのスタンピングによってハウジング１９に固定され得る。
【００６７】
図２の例では、可撓性部分１１の横断面は円形であり、そしてプラスチック材料の成形によってステム４の残りの部分と単一部片として構成される。
【００６８】
当然、以下に説明するように、可撓性部分１１は、円形対称でない横断面をもつように構成することができ、そして適当には、可撓性部分１１は、基端部分及び先端部分の材料と異なる材料で構成することもできる。
【００６９】
例として、ステム４は、ポリオレフィンのような熱可塑性材料、ポリエチレンやポリプロピレン、或いは例えばＰＯＭ、ＰＡ、ＰＥＴやＰＢＴのような他のプラスチック材料で構成することができる。
【００７０】
使用中、可撓性部分１１は変形でき、それにより図３に示すように、先端部分１２は基端部分１３に対して傾斜する。これにより、一層優しい塗布を行なうことができる。
【００７１】
図３を検討するとわかるように、先端部分１２は塗布中ほぼ直線状の形状を保ち、また基端部分１３もそうである。
【００７２】
使用中、基端部分１３の長手方向軸線Ｘと先端部分１２の長手方向軸線Ｙとの成す角度αは、角度αが実質的にゼロであり、軸線Ｘ、Ｙが実質的に一致する初期位置に対して例えば３０°又はそれ以上の角度となり得る。
【００７３】
使用者が処理すべき表面にアプリケータ部材６を当てることを止めると、可撓性部分１１は、それの形状記憶性のため、先端部分１２を戻して基端部分１３と実質的に整列させ、軸線Ｘ、Ｙは、考察中の例ではアプリケータを容器２に戻すと実質的に一致する。
【００７４】
当然、基端部分及び先端部分の少なくとも一方が直線でない長手軸線に沿ってのびる場合、即ちアプリケータを容器内に収めた際に角度αがゼロでない場合も本発明の範囲内である。
【００７５】
可撓性部分１１、基端部分１３及び先端部分１２は本発明の範囲内でなお別の形状に構成することができる。
【００７６】
例として、図４には、可撓性部分１１が一般的に砂時計型であるステム４を示している。
【００７７】
可撓性部分１１は、図４の例の場合のようにそれの中間部Ｍを通る横断平面に対して形状を対称にできるが、しかし、そうでない場合も、特に可撓性部分１１がステム４の長手方向軸線に垂直な任意の平面に対して対称でない場合も本発明の範囲内である。
【００７８】
可撓性部分１１の長さは比較的長くても短くてもよい。従って図５に示すステム４は、図４の例におけるより長さの長い可撓性部分１１を備えている。
【００７９】
さらに、図５の例では、可撓性部分１１は、先端部分１２及び基端部分１３を構成している材料以外の材料で構成される。
【００８０】
例として、可撓性部分１１は、先端部分１２及び基端部分１３と一緒に材料をデュアル射出成形することにより構成することができる。
【００８１】
特に、可撓性部分１１はエラストマー材料で構成でき、一方、先端部分１２及び基端部分１３は比較的堅固な非エラストマープラスチック材料で構成される。
【００８２】
可撓性部分１１は、ステムの長手方向軸線のまわりで円形状に対称でない横断面をもつように構成でき、そして特に図６及び図７に示すように平坦な横断面をもつことができる。
【００８３】
このような横断面により、ステムは、第１の平面に垂直な第２の平面におけるより第１の平面においてより一層変形でき、第１の平面はこの例では図７の断面と一致している。
【００８４】
特に、ステム４は、実質的に長方形である中間部Ｍを通る断面における横断面を備えてもよく、ステムは長方形の長辺に垂直な平面において好ましい仕方で変形できる。
【００８５】
先端部分１２はその外側表面に少なくとも一つの溝２０が形成され得、溝２０は、例えば先端部分１２の長手方向軸線Ｙに平行にのびる長手方向溝の形態である。このような溝２０は例えば、アプリケータを容器から引き出した後に、アプリケータ部材６に向ってステムに沿って重力により物質を流れさせるように作用し得、それにより物質はアプリケータ部材６の予め決められた領域に向って流れる。
【００８６】
図８の例では、可撓性部分１１は、円形状に対称である横断面をもつが、上述のように、可撓性部分は、図９及び図１０の例の場合のように、円形状に対称でない横断面をもつように構成してもよい。
【００８７】
図９に見られるように、溝２０は基端部分１３上にのばしてもよい。
【００８８】
剛毛の束を受けるハウジング１９は、図１１に示すように、先端部分１２の軸線Ｙのまわりで円形対称でない形状のものでもよい。溝２０は、図１１に示すように、ハウジング１９の長辺のほぼ中間に物質を持っていくように構成され得る。
【００８９】
また図１１に示すように、ステム４は互いに対向した二つの溝２０を備えることができる。
【００９０】
特に、可撓性部分１１が円形状に対称でない横断面をもつように構成され、それでステム４に少なくとも一つの好ましい変形方向を与える際には、ハンドル部材は、使用者が可撓性部分１１の横断面の方向決めと関連した予定の仕方でハンドル部材を保持するようにさせる形状に構成され得る。
【００９１】
例として、ハンドル部材は、二つの反対側に、図１２に示すように、使用者の指を受ける凹部２６又は平坦部を備えることができる。
【００９２】
図１３と図１４を比較すると分かるように、可撓性部分１１及びハンドル部材は共通の平面Ｒにおいてはほぼ平坦である形状をもつことができ、ステム４は平面Ｒに垂直な平面において好ましい仕方で変形する。
【００９３】
可撓性部分１１には図１５及び図１６に示すように少なくとも一つの開口が設けられ得る。この実施形態においては、可撓性部分１１は、先端部分１２及び基端部分１３を相互に連結する三つの橋絡材料２８を備え、これらの橋絡材料２８は互いに平行にのび、そしてステム４の長手方向軸線を含む共通平面Ｑ内に位置し、また図示例ではステムに対する対称平面を構成している。
【００９４】
橋絡材料２８によって、ステム４は、平面Ｑに垂直な軸線のまわりより平面Ｑに平行に軸線のまわりで一層容易に曲がることができる。
【００９５】
橋絡材料２８は、先端部分１２及び基端部分１３と同じ材料又は異なる材料からなり得る。
【００９６】
先端部分１２は、剛毛の束６を受けるハウジング１９内では種々の横断面をもつように構成され得る。
【００９７】
図１７〜図２３にはそれらのうちの幾つかの横断面の例を示している。
【００９８】
横断面は特に図１７に示すように円形であったり、図１８に示すように、長円形、特に楕円形であったり、図１９及び図２０に示すように、多角形、特に方形又は長方形であったり、図２１に示すように腎臓形であったり、図２２に示すように星形であったり、或いは図２３に示すように銃眼形であったりできる。
【００９９】
束６における剛毛は種々の種類のものでよく、特に、図２４〜図３０に示す横断面のうちの任意のもの、例えば図２４に示すような円形輪郭の中実横断面、図２５に示すような例えば円形輪郭の中空横断面、図２６に示すような多角形例えば正方形の横断面、図２７に示すような三角形の横断面、又は図２８に示すような長方形の横断面、或いは図２９に示すような楕円形の横断面をもつ剛毛を用いることが可能である。剛毛はまた、図３０に示すような少なくとも一つの毛管溝を備えることもできる。
【０１００】
束６は上述のような種々の剛毛を混ぜ合わせたものから成ってもよい。
【０１０１】
当然、本発明は、剛毛の束で構成したアプリケータ部材に限定されるものではなく、例えば、アプリケータ部材は図３１に示すように、フロック加工したチップで構成してもよい。例として、このフロック加工したチップは皮膚、粘膜、爪又はヘアーに物質を塗布するためのものであり得る。
【０１０２】
また、物質の性質及び処理すべき表面に関連してできれば先端部分１２と一体に構成した又は先端部分１２にはめ込んだ例えば発泡体、ブラシ、フェルト、毛管アプリケータのような任意の他のアプリケータ部材でアプリケータ部材６を構成することができる。
【０１０３】
本発明は上記の実施形態に限定されるものではなく、特に、種々の実施形態の特徴を互いに組合わせることができる。
【０１０４】
好ましくは、ステムは、ステムは、単一の可撓性部分を備えて構成される。しかし、本発明の範囲から逸脱せずに、ステムには一つ以上の可撓性部分が設けられ得る。特に、ステムは、ステムの長さ方向に沿って異なる位置に設けられかつ実質的に可撓性でない部分で相互に連結した少なくとも二つの可撓性部分を備えることができる。
【０１０５】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【図面の簡単な説明】
【０１０６】
【図１】爪に物質を塗布する装置の概略軸方向断面図。
【図２】図１の装置のステム及びアプリケータ部材を示す概略軸方向部分断面図。
【図３】使用中における図１の装置のアプリケータを示す概略軸方向部分断面斜視図。
【図４】ステムの変形実施形態を示す概略軸方向部分断面図。
【図５】ステムの変形実施形態を示す概略軸方向部分断面図。
【図６】ステムの別の変形実施形態を示す概略軸方向部分断面図。
【図７】ステムの別の変形実施形態を示す概略軸方向部分断面図。
【図８】ステムの他の変形実施形態を示す概略軸方向部分断面図。
【図９】ステムの他の変形実施形態を示す概略軸方向部分断面図。
【図１０】図９における矢印Ｘに沿って見た側面図。
【図１１】図９における矢印ＸＩ−ＸＩに沿った横断面図。
【図１２】アプリケータの別の変形実施形態を示す概略斜視図。
【図１３】図１２の矢印ＸＩＩＩ−ＸＩＩＩに沿ったステムの概略横断面図。
【図１４】図１２の矢印ＸＩＶ−ＸＩＶに沿ったハンドル部材の概略横断面図。
【図１５】別の変形実施形態を示す軸方向部分断面図。
【図１６】図１５の矢印ＸＶＩ−ＸＶＩに沿った横断面図。
【図１７】アプリケータ部材におけるステム部分の一例を示す横断面図。
【図１８】アプリケータ部材におけるステム部分の一例を示す横断面図。
【図１９】アプリケータ部材におけるステム部分の一例を示す横断面図。
【図２０】アプリケータ部材におけるステム部分の一例を示す横断面図。
【図２１】アプリケータ部材におけるステム部分の一例を示す横断面図。
【図２２】アプリケータ部材におけるステム部分の一例を示す横断面図。
【図２３】アプリケータ部材におけるステム部分の一例を示す横断面図。
【図２４】アプリケータ部材を構成するのに使用され得る剛毛の横断面の一例を示す断面図。
【図２５】アプリケータ部材を構成するのに使用され得る剛毛の横断面の一例を示す断面図。
【図２６】アプリケータ部材を構成するのに使用され得る剛毛の横断面の一例を示す断面図。
【図２７】アプリケータ部材を構成するのに使用され得る剛毛の横断面の一例を示す断面図。
【図２８】アプリケータ部材を構成するのに使用され得る剛毛の横断面の一例を示す断面図。
【図２９】アプリケータ部材を構成するのに使用され得る剛毛の横断面の一例を示す断面図。
【図３０】アプリケータ部材を構成するのに使用され得る剛毛の横断面の一例を示す断面図。
【図３１】アプリケータ部材の変形実施形態を示す概略軸方向部分断面図。
【符号の説明】
【０１０７】
１：包装及び塗布装置
２：容器
３：アプリケータ
４：ステム
５：第１端部
６：アプリケータ部材
８：第２端部
９：ハンドル部材
１１：可撓性部分
１２：先端部分
１３：基端部分
１５：円筒状スカート
１６：鍔
１７：テーパー部分
１８：ねじ
１９：ハウジング
２０：溝
２６：凹部
２８：橋絡材料
Ｍ：中間部
【図１】
2005052649.tif 000003
【図２】
2005052649.tif 000004
【図３】
2005052649.tif 000005
【図４】
2005052649.tif 000006
【図５】
2005052649.tif 000007
【図６】
2005052649.tif 000008
【図７】
2005052649.tif 000009
【図８】
2005052649.tif 000010
【図９】
2005052649.tif 000011
【図１０】
2005052649.tif 000012
【図１１】
2005052649.tif 000013
【図１２】
2005052649.tif 000014
【図１３】
2005052649.tif 000015
【図１４】
2005052649.tif 000016
【図１５】
2005052649.tif 000017
【図１６】
2005052649.tif 000018
【図１７】
2005052649.tif 000019
【図１８】
2005052649.tif 000020
【図１９】
2005052649.tif 000021
【図２０】
2005052649.tif 000022
【図２１】
2005052649.tif 000023
【図２２】
2005052649.tif 000024
【図２３】
2005052649.tif 000025
【図２４】
2005052649.tif 000026
【図２５】
2005052649.tif 000027
【図２６】
2005052649.tif 000028
【図２７】
2005052649.tif 000029
【図２８】
2005052649.tif 000030
【図２９】
2005052649.tif 000031
【図３０】
2005052649.tif 000032
【図３１】
2005052649.tif 000033
【外国語明細書】
2005052649.tif 000034
2005052649.tif 000035
2005052649.tif 000036
2005052649.tif 000037
2005052649.tif 000038
2005052649.tif 000039
2005052649.tif 000040
2005052649.tif 000041
2005052649.tif 000042
2005052649.tif 000043
2005052649.tif 000044
2005052649.tif 000045
2005052649.tif 000046
2005052649.tif 000047
2005052649.tif 000048
2005052649.tif 000049
2005052649.tif 000050
2005052649.tif 000051
2005052649.tif 000052
2005052649.tif 000053
2005052649.tif 000054
2005052649.tif 000055
2005052649.tif 000056
2005052649.tif 000057
2005052649.tif 000058
2005052649.tif 000059
2005052649.tif 000060